(57)【特許請求の範囲】
【請求項１】
吸込口および吹出口が形成された室内機本体と、
前記吸込口から前記吹出口に至る風路を形成する風路壁と、
前記風路内に配置された送風機および熱交換器と、
該熱交換器から滴下する水分を受け止める主ドレンパンと、
前記風路壁の前記送風機よりも前記吹出口寄りの位置に形成され、前記風路壁の風路側の面に付着した着露水が通過自在な一個または複数個のスリット状開口部と、
前記スリット状開口部の下方で前記風路壁の反風路側の面に形成され、前記スリット状開口部を通過して前記風路壁の反風路側に浸入した着露水が流入する着露水パンと、
前記着露水パンから流出した着露水を排水の為、前記主ドレンパンに流入させる一つまたは複数の排水路と、
を有し、
前記着露水パンに形成され、一定量以上に流入した着露水を前記排水路に排出するための満水排出手段と、
前記着露水パンに形成され、流入した着露水の停留を防止して前記排水路に排出するための溜まり防止手段と、
前記着露水パンに設置され、前記着露水パンに着露水が流入したことを検知する水位センサーと、
を有し、
前記風路壁の反風路側の面に、前記排水路の一部を構成する副ドレンパンが設置され、前記満水排出手段を通過して溢れ出した着露水が前記副ドレンパンに流入し、
前記風路壁の反風路側の面で前記スリット状開口部の上方に、前記着露水パンを覆う着露水パン庇が形成され、前記スリット状開口部を通過して反風路側に浸入した着露水が、前記着露水パン庇の下面を伝わって前記着露水パンに滴下し、前記風路壁の反風路側の面に付着して流下した水分が、前記着露水パン庇の上面を伝わって前記副ドレンパンに滴下することを特徴とする空気調和機の室内機。
【請求項２】
前記スリット状開口部が、前記風路壁の風路側の面に付着して流下する着露水は通過自在で、前記送風機によって吹き出された空気は通過困難な透湿浸透膜によって閉塞されていることを特徴とする請求項１記載の空気調和機の室内機。
【発明の詳細な説明】
【技術分野】
【０００１】
本発明は、空気調和機の室内機、特に、室内機の風路内に着露水が付着した場合に、これを風路外に排出する手段を有する空気調和機の室内機に関する。
【背景技術】
【０００２】
従来の空気調和機の室内機において、冷房運転時の室内機から水滴が落下（本発明において「露垂れ」と称する場合がある）することを防止するため、吹出口周辺に付着した水分を検知して、該水分をヒータによって蒸発したり、室内ファンの回転数を上げたり、あるいは、圧縮機の回転数を下げたりする発明が開示されている（例えば、特許文献１参照）。
また、室内熱交換器の２次側に吹き出される十分に除湿されない吸込空気の結露や、室内熱交換器により冷却除湿される際に生じる水（本発明において「風路内の着露水」と総称する）に着目して、これらを検知したり、吸込空気の露点温度を検知したりして、室内ファンの風量を増したり、あるいは、圧縮機の回転数を下げたり（蒸発温度を高めたり）する発明が開示されている（例えば、特許文献２参照）。
【先行技術文献】
【特許文献】
【０００３】
【特許文献１】特開平２−１５４９３０号公報（第２−３頁、第１図）
【特許文献２】特開２００３−１０６６１９号公報（第４−５頁、第２図）
【発明の概要】
【発明が解決しようとする課題】
【０００４】
しかしながら、特許文献１に開示された発明は、天井埋込形空気調和機であって、吹出空気が誘引する室内空気による結露を検出するために、吹出口の周囲で化粧パネルの下面に結露センサーを設置するものであるため、以下の問題があった。
（あ）風路内の着露については考慮されていない。したがって、風路内で着露水が寄り集まって成長した大きな水滴は検知されないから、該水滴は室内に滴下する（露垂れが防止できない）。
（い）仮に、前記結露センサーを風路内（風路壁の風路側の面）に設置して風路内の着露水の発生を検知しようとしても、幅方向の中央に設置されているから、当該位置を除く範囲における着露水を検知することができない。また、風路抵抗の増加が予測され、これを補うために送風機の負荷を増すと、省エネ運転が阻害される。
（う）さらに、前記結露水が風路壁の風路側の面に沿って流下した場合を仮定して、風路壁の内面にドレンパンを設けたのでは、風路抵抗がさらに増して省エネ運転を阻害すると共に、吹出口の開口面積が減少し、快適性や意匠性を阻害する。
【０００５】
一方、特許文献２に開示された発明は、前記（あ）および（い）を解決する優れものであるが、送風機から吹き出された風が衝突する風路壁の風路側の面において、吹出口の長手方向のほぼ全長に、着露水を保水することができる水センサー（一対の導電線を保水のための不織布で包囲し、保水に伴う導線間の電気抵抗の変化を検知する）を接着したものであるため、以下の問題があった。
（え）風路壁の内面の長手方向のほぼ全長に渡って水センサーが接着されるから、風流れが乱され、風路抵抗が増加するおそれが予測される。
（お）特に、着露水の室内への滴下をより防止するために、保水能力を高めたのでは、水センサーの体積（断面積）が大きくなり、風路抵抗がより増加するおそれがある。
（か）さらに、水センサーが長尺であって、全幅に渡って接着されるため、それによって追加コストが生じる。
【０００６】
本発明は、上記のような問題を解決するためになされたもので、第１の目的は、風路内の広い範囲の何れかの位置で着露水が生じても、露垂れを防止または最少に抑えることが可能な空気調和機の室内機を提供することにある。
【課題を解決するための手段】
【０００７】
本発明に係る空気調和機の室内機は、吸込口および吹出口が形成された室内機本体と、前記吸込口から前記吹出口に至る風路を形成する風路壁と、前記風路内に配置された送風機および熱交換器と、該熱交換器から滴下する水分を受け止める主ドレンパンと、前記風路壁の前記送風機よりも前記吹出口寄りの位置に形成され、前記風路壁の風路側の面に付着した着露水が通過自在な一個または複数個のスリット状開口部と、前記スリット状開口部の下方で前記風路壁の反風路側の面に形成され、前記スリット状開口部を通過して前記風路壁の反風路側に浸入した着露水が流入する着露水パンと、前記着露水パンから流出した着露水を排水の為、前記主ドレンパンに流入させる一つまたは複数の排水路と、を有し、前記着露水パンに形成され、一定量以上に流入した着露水を前記排水路に排出するための満水排出手段と、前記着露水パンに形成され、流入した着露水の停留を防止して前記排水路に排出するための溜まり防止手段と、前記着露水パンに設置され、前記着露水パンに着露水が流入したことを検知する水位センサーと、を有し、前記風路壁の反風路側の面に、前記排水路の一部を構成する副ドレンパンが設置され、前記満水排出手段を通過して溢れ出した着露水が前記副ドレンパンに流入し、前記風路壁の反風路側の面で前記スリット状開口部の上方に、前記着露水パンを覆う着露水パン庇が形成され、前記スリット状開口部を通過して反風路側に浸入した着露水が、前記着露水パン庇の下面を伝わって前記着露水パンに滴下し、前記風路壁の反風路側の面に付着して流下した水分が、前記着露水パン庇の上面を伝わって前記副ドレンパンに滴下することを特徴とする。
【発明の効果】
【０００８】
本発明に係る空気調和機の室内機は、風路壁の風路側の面に付着した着露水が、スリット状開口部を通過して風路壁の反風路側に浸入し、着露水パンに受け止められ、さらに、風路壁の風路側の面に付着した着露水が通過自在な一つまたは複数のスリット状開口部と、を有するから、着露水の吹出口から室内への滴下（露落ち）が防止される。
また、着露水パンに着露水の発生を検知するセンサーを設置しても、風路抵抗が増すことはないから、省エネ運転が阻害されることがない。
さらに、スリット状開口部を風路壁の略幅（風流れに対して垂直方向の距離に同じ）に形成し、着露水パンに流入した着露水が集める位置（最下位置等）に、着露水の有無や増減を検知するセンサーを設置すれば、風路内の何れの位置において発生した着露水に対しても、早期にその発生を検知することが可能になる。そして、早期発見によって、早期に着露水の発生防止を実行すれば、着露水の発生が抑えられ、着露水の吹出口から室内への滴下（露落ち）がさらに防止され、快適性が向上する。
【図面の簡単な説明】
【０００９】
【図１】本発明の実施の形態１に係る空気調和機の室内機を説明する全体断面図。
【図２】図１に示す調和機の部分を拡大して示す正面視の部分断面図。
【図３】図１に示す調和機の部分の変形例を拡大して示す正面視の部分断面図。
【図４】図１に示す調和機の部分の変形例を拡大して示す正面視の部分断面図。
【図５】本発明の実施の形態２に係る空気調和機の室内機を説明する部分断面図。
【図６】図５に示す室内機の制御フローを示すフローチャート。
【図７】本発明の実施の形態３に係る空気調和機の室内機の部分拡大断面図。
【図８】図７に示す室内機の制御フローを示すフローチャート。
【図９】本発明の実施の形態４に係る空気調和機の室内機の部分拡大断面図。
【図１０】図９に示す室内機の制御フローを示すフローチャート。
【図１１】本発明の実施の形態５に係る空気調和機の室内機の部分拡大断面図。
【図１２】図１１に示す室内機の制御フローを示すフローチャート。
【図１３】本発明の実施の形態６に係る空気調和機の室内機の部分拡大断面図。
【図１４】本発明の実施の形態７に係る空気調和機の室内機の部分拡大断面図。
【図１５】図１４に示す室内機の制御フローを示すフローチャート。
【図１６】本発明の実施の形態８に係る空気調和機の室内機の全体断面図。
【図１７】本発明の実施の形態９に係る空気調和機の室内機の全体断面図。
【発明を実施するための形態】
【００１０】
［実施の形態１］
（空気調和機の室内機）
図１〜図４は本発明の実施の形態１に係る空気調和機の室内機を説明するものであって、図１は調和機の正面視の断面を示す全体断面図、図２は調和機の部分を拡大して示す正面視の部分断面図、図３および図４は調和機の部分の変形例を拡大して示す正面視の部分断面図である。なお、各図は模式的に描いたものであって、本発明は図示された形態（構成部材の縦横比や厚さ等）に限定するものではない。また、各図において同じ部分または相当する部分には同じ符号を付し、一部の説明を省略する。
【００１１】
（室内機本体）
図１において、空気調和機の室内機（以下、「室内機」と略称する場合がある）１００は、室内の天井１０００に設置されるものであって、下面に吸込口１１および吹出口１５が形成された室内機本体１０と、室内機本体１０内に設置された送風機（貫流ファンに同じ）４とを有している。
そして、吸込口１１から送風機４に至る（上流側に同じ）、吸い込まれた室内空気が流れる吸込風路１と、送風機４から吹出口１５に至る（下流側に同じ）、吹き出された調和空気が流れる吹出風路５と、が形成されている。吸込風路１には、吸い込まれた室内空気が通過し、含まれた塵埃が除去される空気清浄フィルター２と、空気清浄フィルター２を通過した室内空気を冷却または加熱する熱交換器３とが配置されている。なお、熱交換器３を通過した室内空気を「調和空気」と称している。
さらに、熱交換器３は正面視で略逆ハ字状に配置され、これに付着した水分（着露水等）が滴下した際、それを受け止める主ドレンパン６が、熱交換器３の下方に配置されている。なお、熱交換器（室内熱交換器に相当する）３は、図示しない室外機に設置された、冷媒の圧縮機、室外熱交換器、および冷媒膨張手段と共に冷凍サイクルを構成するものであって、冷媒の流れを変更することによって、凝縮器（温熱を放出する）や蒸発器（冷熱を放出する）として、機能するものである。
【００１２】
（吹出風路）
吹出風路５は、正面視で略円弧状あるいは円弧部を有する略Γ（ガンマ）字状であって、上側または送風機４から遠い側に配置され、曲率半径が比較的大きな大径吹出壁（風路壁に同じ）１２と、下側または送風機４に近い側に配置され、大径吹出壁１２よりも曲率半径が小さい小径吹出壁（風路壁に同じ）１３と、大径吹出壁１２と小径吹出壁１３との両端部を繋いで曲がった筒を形成する端部吹出壁１４と、から形成されている。
なお、以下、便宜上、吹出風路５は、送風機４に近い範囲では調和空気が略水平方向に吹き出される水平流れ部５ａと、水平流れ部５ａに続いて、流れ方向が変えられる円弧状の円弧流れ部５ｂと、円弧流れ部５ｂに続き、吹出口１５に至る略鉛直下方に向かう流れを形成する鉛直流れ部５ｃと、に概ね分けて説明しているが、それぞれの境界は必ずしも明りょうでない。
そして、水平流れ部５ａは大径吹出壁１２の大径水平壁部分１２ａによって形成されている。円弧流れ部５ｂは大径吹出壁１２の大径円弧壁部分１２ｂと、これに対向した小径吹出壁１３の小径円弧壁部分１３ｂとによって形成されている。また、鉛直流れ部５ｃは大径吹出壁１２の大径鉛直壁部分１２ｃと、これに対向した小径吹出壁１３の小径鉛直壁部分１３ｃとによって形成されている。なお、それぞれの境界は必ずしも明りょうでない。
【００１３】
（大径側の着霜水排出部）
図２において、大径吹出壁１２の調和空気が触れない面（吹出風路５の面ではない面に同じ、図２における左側の面、以下、「反風路側の面」と称す）に、着霜水排出部２０が形成されている。
着霜水排出部２０は、大径吹出壁１２の大径円弧壁部分１２ｂと大径鉛直壁部分１２ｃとの境界に概ね相当する位置に形成された、着露水が通過自在なスリット状開口部２１と、スリット状開口部２１の下方で大径吹出壁１２の反風路側の面に設置され、スリット状開口部２１を通過して大径吹出壁１２の反風路側に浸入した着露水を受け止める着露水パン２２と、を有している。
【００１４】
（大径側の着露水パン）
着露水パン２２は、大径鉛直壁部分１２ｃの一部の反風路側の面と、パン底板２２ａと、パン側板２２ｂと、パン端板２２ｃとから形成された、樋状（上面が開口した箱状）を呈している。パン側板２２ｂは大径円弧壁部分１２ｂの下端（スリット状開口部２１の上縁に同じ）に滑らかに繋がっている。したがって、大径円弧壁部分１２ｂの下端が反風路側の下方に滑らかに延長され、パン底板２２ａに接合された形態とみなすことができる。
また、パン端板２２ｃの上縁は、スリット状開口部２１の下縁よりも低い位置にある。したがって、大径吹出壁１２（特に、大径円弧壁部分１２ｂ）の風路側の面に付着した着露水は、該面を伝って流下し、スリット状開口部２１を通過して反風路側に浸入し、着露水パン２２に貯蔵される。よって、着露水が吹出口１５から室内へ滴下（露落ち）することが防止される。
【００１５】
大径鉛直壁部分１２ｃの反風路側の面には、大径吹出壁１２の反風路側の面に付着した水分を受け止める副ドレンパン７が設けられ、副ドレンパン７に貯まった水は、図示しない排水路によって、主ドレンパン６に導かれる。
そして、着露水パン２２に流入した着露水がパン端板２２ｃの上縁からオーバーフローすると、かかる着露水は副ドレンパン７に流れ込み、排水路（図示しない）を経由して主ドレンパン６に導かれる。さらに、主ドレンパン６に貯蔵された水分（着露水を含まない場合もある）は、図示しない排出手段によって図示しない室外機等に導かれる。
【００１６】
なお、本発明は、着露水パン２２の形態を図示するものに限定するものではなく、例えば、パン端板２２ｃを撤去して、パン底板２２ａの端部から着露水が流出するようにしてもよいし、着露水パン２２自体を撤去して、着露水が副ドレンパン７に直接流入するようにしてもよい（このとき、着露水パン２２には着露水が貯蔵されない（溜まらない）ことになる）。あるいは、着露水パン２２に貯蔵された着露水を副ドレンパン７を経由しないで、主ドレンパン６に直接導いてもよい。
【００１７】
（小径側の着霜水排出部）
一方、小径吹出壁１３の反風路側の面に、着霜水排出部３０が形成されている。
着霜水排出部３０は、小径吹出壁１３の小径円弧壁部分１３ｂと小径鉛直壁部分１３ｃとの境界に概ね相当する位置に形成された、着露水が通過自在なスリット状開口部３１と、スリット状開口部３１を通過して小径吹出壁１３の反風路側に浸入した着露水を受け止める着露水パン３２と、を有している。
【００１８】
（小径側の着露水パン）
着露水パン３２は、小径鉛直壁部分１３ｃの反風路側の面と、パン底板３２ａと、パン側板３２ｂと、パン端板３２ｃとから形成されている。パン側板３２ｂは小径円弧壁部分１３ｂの下端（スリット状開口部３１の上縁に同じ）に滑らかに繋がっている。したがって、小径円弧壁部分１３ｂの下端が反風路側の下方に滑らかに延長され、パン底板３２ａに接合された形態とみなすことができる。また、パン端板３２ｃの上縁は、スリット状開口部３１の下縁よりも低い位置にある。
したがって、小径吹出壁１３（小径円弧壁部分１３ｂ）の風路側の面に付着した着露水は、該面を伝って流下し、スリット状開口部３１を通過して反風路側に浸入し、着露水パン３２に貯蔵される。よって、着露水が吹出口１５から室内へ滴下（露落ち）することが防止される。
【００１９】
小径鉛直壁部分１３ｃの反風路側の面には、副ドレンパン８が設けられ、大径側の着霜水排出部２０と同様に、着露水パン３２のパン端板３２ｃの上縁からオーバフローした着露水は副ドレンパン８に流入し、図示しない排水路によって主ドレンパン６に導かれる。
なお、本発明が、着露水パン３２の形態を図示するものに限定するものではないことは、着露水パン３２に同じである。
【００２０】
以上のように、室内機１００は、吹出風路５に発生した着露水が、風路外に導かれるから、着露水が吹出口１５から室内へ滴下（露落ち）することが防止される。このとき、大径吹出壁１２、１３には、風流れを乱すような突起（突条）がないから、風流れが阻害されることがなく、省エネ運転が担保される。
なお、着露水の付着は、送風機４から送り出された調和空気が衝突する大径吹出壁１２側に顕著であると考えられるため、室内機１００は、小径側の着霜水排出部３０を撤去して、大径側の着霜水排出部２０のみを有してもよい。
【００２１】
(スリット状開口部の変形例）
図３において、スリット状開口部２１が、着露水は通過（浸透）するが、調和空気は通過しない（正確には、通過し難い）透湿浸透膜２３によって覆われている。このとき、透湿浸透膜２３の風路側の面は、大径円弧壁部分１２ｂの風路側の面と大径鉛直壁部分１２ｃの風路側の面とを滑らかに繋いでいる。
したがって、吹出風路５における空気の流れがより乱されないから、省エネ運転がさらに担保される。
【００２２】
(パン側壁の変形例）
図４において、大径円弧壁部分１２ｂの下端が反風路側の下方に滑らかに延長されて大径円弧壁延長部分（庇に相当する）１２ｄが形成されて、その下端はパン側板２２ｂに接続されていない。したがって、前者の延長部の下縁と、パン側板２２ｂの上縁との間に隙間２５が形成されている。そして、パン側板２２ｂの上縁とパン端板２２ｃの上縁とが略同じ高さになっている。したがって、着露水が満水になった後に流入する着露水は、パン側板２２ｂの上縁およびパン端板２２ｃの上縁の両方からオーバーフローし（正確には、水抜孔２４から流出する）、副ドレンパン７に受け止められる。
【００２３】
なお、大径円弧壁延長部分１２ｄは着露水パン２２の上方を覆う、すなわち、大径円弧壁延長部分１２ｄの下端（以下、「延長部下端」と称す）１２ｅは、着露水パン２２のパン側板２２ｂよりも、反風路側（図中、左側）に位置している。さらに、大径円弧壁延長部分１２ｄの下面で、着露水パン２２の直上に含まれる範囲（図中、パン側板２２ｂの鉛直直上よりも右側）に突条２６が形成されている。
したがって、吹出風路５の外で結露が生じて、大径吹出壁１２の反風路側の面を伝わって流下した水分が、大径円弧壁延長部分１２ｄの延長部下端１２ｅから滴下したとしても、かかる水分が着露水パン２２内に滴下することはない。また、吹出風路５内で着霜水が生じ、大径円弧壁部分１２ｂの風路側の面に沿って流下した着露水がスリット状開口部２１を通過した場合、大径円弧壁延長部分１２ｄの下面を伝わって流れ、突条２６から滴下し着露水パン２２に受け止められる。
【００２４】
［実施の形態２］
（空気調和機の室内機）
図５および図６は本発明の実施の形態２に係る空気調和機の室内機を説明するものであって、図５の（ａ）は調和機の部分を拡大して示す正面視の部分断面図、図５の（ｂ）は調和機の部分を拡大して示す側面視の部分断面図、図６は室内機の制御フローを示すフローチャートである。なお、各図は模式的に描いたものであって、本発明は図示された形態（構成部材の縦横比や厚さ等）に限定するものではない。また、実施の形態１と同じ部分または相当する部分には同じ符号を付し、一部の説明を省略する。
【００２５】
図５において、空気調和機の室内機（以下、「室内機」と略称する場合がある）２００は、実施の形態１に示す室内機１００において、着露水の発生を検知する検知手段と、該検知手段の検知結果に基づいて、着露水の発生を防止する制御手段と、を備えたものである。なお、実施の形態１と同じ部分または相当する部分には同じ符号を付し、一部の説明を省略する。
【００２６】
（大径側の着霜水排出部）
図５において、室内機２００の着露水パン２２に水位センサー８０が設置されている。このとき、パン底板２２ａは一方のパン端板２２ｃに向かって低くなるように傾斜し、パン底板２２ａの一方のパン端板２２ｃの近くに水抜孔（溜まり防止手段に相当する）２４が形成されている。また、水抜孔２４の近くに水位センサー８０が設置されている。
したがって、室内機２００において、吹出風路５の何れの位置（特に、円弧流れ部５ｂの幅方向の何れの位置）において着露水が発生しても、これが着露水パン２２に流入する。そして、水位センサー８０方向に流れ、着露水の発生量が水抜孔２４から流出する量より多い場合には、着露水は着露水パン２２に貯蔵される（水嵩が増す）。やがて、満杯になると、一方のパン端板２２ｃの上縁からオーバーフローして、排水路１６を経由して副ドレンパン７に流入する。
【００２７】
（水位センサー）
水位センサー８０は、所定の間隔を設けて対向した一対の導電体８０ａ、８０ｂと、両者の間に着露水が浸入した場合に、両者の間の電気抵抗または静電容量の変化を検知する検知手段（図示しない）と、を備えたものである。なお、本発明はその形式を限定するものではなく、水抜孔２４の近くに着露水が流入した（存在している）こと、あるいは、水抜孔２４の近くに着露水が貯蔵されている（溜まっている）ことを、検知することが可能なものであれば、何れ（例えば、光学式等）であってもよい。
したがって、水位センサー８０の検知位置を低くしておけば（例えば、パン底板２２ａに設置しておけば）、着露水の発生量が少ない場合でも、早期にその発生を検知することができる。このとき、一方のパン端板２２ｃおよび水抜孔２４を撤去してもよい。
【００２８】
一方、水位センサー８０の検知位置を高く設定しておけば、着露水の発生速度（単位時間当たりの発生量）が比較的大きい場合（水抜孔２４からの流出速度（単位時間当たりの流出量）より多い場合）に限ってその発生を検知することができる。すなわち、誤検知が防止されると共に、後記する着露水発生を防止する制御が頻繁になることが防止され、快適性が阻害されない。
なお、以上は、パン底板２２ａが一方の端に向かって傾斜しているが、本発明はこれに限定するものではなく、両方に端に向かって傾斜させ（山形にして）、両端に水抜孔２４を設けてもよい。また、水抜孔２４の周囲を陥没させてもよい（これについては別途詳細に説明する）。
さらに、水位センサーに替えて、水抜孔２４の近くに貯蔵されている（溜まっている）着露水の水位の変化を検知する水位変化センサーを設置してもよい（これについては別途詳細に説明する）。
【００２９】
（制御手段）
制御手段（図示しない）は、水位センサー８０が着露水パン２２に着露水が流入したことを検知した際、熱交換器３に供給される冷媒の蒸発温度（以下、「室内熱交換器温度」を含め、「蒸発温度」とする。）を高め、その後、水位センサー８０が着露水パン２２から着露水が流出したことを検知した際、熱交換器３に供給される冷媒の蒸発温度を下げる（元に戻す）制御を実行するものである。以下、フローチャート（各ステップを「Ｓ」と表示している）に沿って、制御フローを説明する。
【００３０】
（制御フロー）
図６において、室内機２００の制御手段は、冷房運転が開始（ＯＮ）されると（Ｓ１）、冷房運転されていることを確認して（Ｓ２）、水位センサー８０の検知結果を参照する（Ｓ３）。そして、水位センサー８０が着露水を検知していない（図中、ＯＦＦと記載する）場合は、着露水の発生が無いと判断し（Ｓ４）、着露水の発生を防止するアクションを実行しないで（Ｓ５）、ステップ２に戻る。このとき、連続的に戻っても、一定時間毎に戻ってもよい。
一方、水位センサー８０が着露水を検知している（図中、ＯＮと記載する）場合には、前記アクションを継続している時間（アクション継続時間Ｈｍ）を参照する（Ｓ６）。そして、所定時間Ｈ１を経過していない場合（Ｈｍ＜Ｈ１）は、着露水パン２２が満水になっていないと判断し（Ｓ７）、前記アクションを実行し（実行開始または実行継続、Ｓ８）、ステップ２に戻る。
一方、前記アクションのアクション継続時間Ｈｍが所定時間Ｈ１を経過している場合は（Ｈ１≦Ｈｍ）、着露水パン２２が満水になっていると判断し（Ｓ９）、前記アクションが奏功していないと判断して冷房運転を停止（ＯＦＦ）する（Ｓ１０）。このとき、前記アクションが奏功していないことを音声や文字図形等の表示によって報知してもよい。
【００３１】
（アクション）
着露水の発生を防止するアクションは、熱交換器３に供給する冷媒の温度を高めるものである。また、送風機４の回転数を大きくしたりするものである。あるいは、両者を同時に実行するものである。
このとき、着露水は冷房運転の場合（熱交換器３が蒸発器として機能し、冷熱が放出される場合）に発生するため、かかるアクションは冷房を弱める方向に作用するものの、冷媒の温度上昇が僅か（例えば、１℃）であるため、不快感を覚えることが最少に防止される。なお、冷媒の温度を高める要領は公知であって、冷媒の圧縮機の回転数を小さくしたり、冷媒膨張手段の絞り率を変更したりする。
さらに、吹出風路５（特に、円弧流れ部５ｂ）に、壁面の温度を上昇させるための電気ヒータを設置して、電気ヒータに通電するようにしてもよい。このとき、前記アクションの一方または両方を併用すれば、効果が大きくなる。
【００３２】
（小径側の着霜水排出部）
室内機２００は、大径側の着霜水排出部２０において、着露水の発生を検知するものであるが、本発明はこれに限定するものではなく、小径側の着霜水排出部３０（小径側の着霜水排出部３０が設けられている場合）においても、同様に着露水の発生を検知するようにしてもよい。このとき、大径側の着霜水排出部２０および小径側の着霜水排出部３０の両方について検知結果を参照し、その一方において判断条件を満たす場合には、前記アクションを実行（あるいは停止）する。
【００３３】
以上のように、室内機２００は、吹出風路５の何れの位置において着露水が発生しても、これが風路外に設置された着露水パン２２に流入して、早期にその発生が検知され、アクションが実行される。したがって、着露水の発生が抑えられ、吹出口１５から室内への着露水の滴下（露落ち）が、さらに確実に防止される。このとき、室内機１００と同様に省エネ運転が担保される。
【００３４】
なお、以上のように、室内機２００は着露水パン２２に水位センサー８０が設置されたものであるが、着露水パン２２を撤去して、スリット状開口部３１の上縁または下縁の一方または両方に沿って、風路壁１２の反風路側の面に水位センサー８０を設置し、これが、スリット状開口部３１を着露水が通過したことを検知した際、前記アクションを実行し、その後、水位センサー８０がスリット状開口部３１を通過する着露水の減少または消滅を検知した際に、前記アクションを停止するようにしてもよい。
【００３５】
［実施の形態３］
（空気調和機の室内機）
図７および図８は本発明の実施の形態３に係る空気調和機の室内機を説明するものであって、図７は調和機の部分を拡大して示す側面視の部分断面図、図８は室内機の制御フローを示すフローチャートである。なお、各図は模式的に描いたものであって、本発明は図示された形態（構成部材の縦横比や厚さ等）に限定するものではない。また、実施の形態１と同じ部分または相当する部分には同じ符号を付し、一部の説明を省略する。
【００３６】
図７において、空気調和機の室内機（以下、「室内機」と略称する場合がある）３００は、実施の形態２に示す室内機２００における着露水パン２２に着露水ピット４０を設け、着露水ピット４０に一対の水位センサー８０を設置したものである。
すなわち、傾斜している着露水パン２２の低い方の端部に、カップ状に陥入した凹部である着露水ピット４０が形成され、着露水ピット４０のピット底４０ａに水抜孔２４が形成されている。そして、着露水ピット４０のピット壁４０ｃのピット底４０ａに近い位置に水位センサー８０（以下、「下水位センサー８１」と称す）が、着露水ピット４０のピット壁４０ｃの上縁に近い位置に水位センサー８０（以下、「満水位センサー８２」と称す）が、それぞれ設置されている。
【００３７】
したがって、着露水パン２２に受け止められた着露水は着露水ピット４０に浸入する。このとき、着露水ピット４０の水平面に平行な断面積は、着露水パン２２の水平面に平行な断面積よりも小さいから、着露水の発生が少ない場合であっても、着露水ピット４０に浸入した着露水の水位は急速に上昇する。すなわち、着露水の発生を「増巾した」状態で検知することができる。
また、満水位センサー８２に到達した着露水は、ピット壁４０ｃの上縁からオーバフローするから、満水位センサー８２は満水を検知するセンサーとして機能する。したがって、室内機２００における制御フローにおける「アクション継続時間の参照（Ｓ６）」を、「満水位センサー８２における着露水の検知（ＯＮ）」に置き換えることができるから、室内機３００は室内機２００と同様の作用効果が得られる。
【００３８】
なお、室内機２００は着霜水ピット４０を有しているが、本発明はこれに限定するものではなく、着霜水ピット４０を撤去して、パン側板２２ｂの上縁に満水位センサー８２を設置しても同様の作用効果が得られる。
なお、着霜水ピット４０の形状は限定されるものではない。例えば、着霜水ピット４０のピット壁４０ｃの上縁がパン底板２２ａよりも低い位置にあってもよい。一方、ピット壁４０ｃの上縁の方がパン端板２２ｃあるいはパン側板２２ｂの上縁よりも高い位置になる場合には、当然に、パン端板２２ｃあるいはパン側板２２ｂの上縁が満水排出手段として機能する。
【００３９】
（制御フロー）
図８において、室内機３００の制御手段は、冷房運転が開始（ＯＮ）されると（Ｓ１）、冷房運転されていることを確認して（Ｓ２）、下水位センサー８１の検知結果を参照する（Ｓ３）。そして、下水位センサー８１が着露水を検知していない（ＯＦＦ）場合は、着露水の発生が無いと判断し（Ｓ４）、着露水の発生を防止するアクションを実行しないで（Ｓ５）、ステップ２に戻る。このとき、連続的に戻っても、一定時間毎に戻ってもよい。
一方、下水位センサー８１が着露水を検知（ＯＮ）した場合には、満水位センサー８２の検知結果を参照する（Ｓ６の２）。そして、満水位センサー８２が着露水を検知しない（ＯＦＦ）場合には、着露水ピット４０に着露水があると判断し（Ｓ７）、前記アクションを実行し（実行開始または実行継続、Ｓ８）、ステップ２に戻る。
さらに、下水位センサー８１および満水位センサー８２の両方が着露水を検知した（ＯＮ）場合は、着露水ピット４０が満水になっていると判断し（Ｓ９）、前記アクションが奏功していないと判断して冷房運転を停止（ＯＦＦ）する（Ｓ１０）。
【００４０】
［実施の形態４］
（空気調和機の室内機）
図９および図１０は本発明の実施の形態４に係る空気調和機の室内機を説明するものであって、図９は調和機の部分を拡大して示す側面視の部分断面図、図１０は室内機の制御フローを示すフローチャートである。なお、各図は模式的に描いたものであって、本発明は図示された形態（構成部材の縦横比や厚さ等）に限定するものではない。また、実施の形態１と同じ部分または相当する部分には同じ符号を付し、一部の説明を省略する。
【００４１】
図９において、空気調和機の室内機（以下、「室内機」と略称する場合がある）４００は、実施の形態３に示す室内機３００における満水位センサー８２を着露水ピット４０のピット壁４０ｃの上縁から離して設置したものである。
すなわち、傾斜している着露水パン２２の低い方の端部に、ピット底４０ａに水抜孔２４が形成された着露水ピット４０が設けられ、着露水ピット４０のピット壁４０ｃのピット底４０ａに近い位置に水位センサー８０（以下、「下水位センサー８１」と称す）が設置され、下水位センサー８１よりも高い位置に水位センサー８０（以下、「満水位センサー８２」と称す）が設置されている。
【００４２】
したがって、着露水パン２２に受け止められた着露水は着露水ピット４０に流入し、着露水の単位時間当たりの流入量が水抜孔２４から排出される単位時間当たりの排出量よりも多い場合、まず、下水位センサー８１が着露水があること（ＯＮ）を検知し、ついで、上水位センサー８３が、着露水があること（ＯＮ）を検知する。
そうすると、下水位センサー８１がＯＮしてから上水位センサー８３がＯＮするまでの時間が早いことは、着露水の単位時間当たりの流入量が多いことを意味するから、着露水の発生を防止するアクションを強化する必要があることが示唆される。
なお、下水位センサー８１と上水位センサー８３とを２段に渡って設置する替わりに、水位変化センサーを１台設置しても同様の作用効果を得ることができる（これについては別途詳細に説明する）。
【００４３】
（制御フロー）
図１０において、室内機４００の制御手段は、冷房運転が開始（ＯＮ）されると（Ｓ１）、冷房運転されていることを確認して（Ｓ２）、下水位センサー８１の検知結果を参照する（Ｓ３）。そして、下水位センサー８１が着露水を検知していない（ＯＦＦ）場合は、着露水の発生が無いと判断し（Ｓ４）、着露水の発生を防止するアクションを実行しないで（Ｓ５）、ステップ２に戻る。このとき、連続的に戻っても、一定時間毎に戻ってもよい。
一方、下水位センサー８１が着露水を検知（ＯＮ）した場合には、上水位センサー８３の検知結果を参照する（Ｓ６の３）。そして、上水位センサー８３が着露水を検知しない（ＯＦＦ）場合には、着露水の発生初期であると判断し（Ｓ７の２）、第１アクションを実行し（実行開始または実行継続、Ｓ８の２）、ステップ２に戻る。
【００４４】
さらに、下水位センサー８１および上水位センサー８３の両方が着露水を検知した（ＯＮ）場合においては、下水位センサー８１がＯＮしてから上水位センサー８３がＯＮするまでの経過時間（水面上昇時間Ｔｍ）を参照する（Ｓ６の４）。
そして、水面上昇時間Ｔｍが所定の流量判断時間Ｔ１未満（Ｔｍ＜Ｔ１）であるときは、着露水の発生が比較的急速であると判断し（Ｓ７の３）、第２アクションを実行して（Ｓ８の３）、ステップ２に戻る。
また、そして、水面上昇時間Ｔｍが所定の流量判断時間Ｔ１以上であって、所定の満水判断時間Ｔ２未満である場合は（Ｔ１≦Ｔｍ＜Ｔ２）、着露水の発生が比較的緩慢であると判断し（Ｓ７の４）、第１アクションを実行して（Ｓ８の２）、ステップ２に戻る。
さらに、水面上昇時間Ｔｍが所定の満水判断時間Ｔ２以上（Ｔ２≦Ｔｍ）である場合は、着露水ピット４０が満水になっていると判断し（Ｓ９）、前記アクションが奏功していないと判断して冷房運転を停止（ＯＦＦ）する（Ｓ１０）。
【００４５】
（第２アクション）
第２アクションは、第１アクションを実行してからの水面上昇時間の長短に応じて選定する。すなわち、かかる水面上昇時間は、着露水の単位時間当たりの発生量の多寡を反映したものであるから、水面上昇時間が短い程、着露水の単位時間当たりの発生量が多いことを示している。
したがって、水面上昇時間Ｔｍが所定の時間よりも短い場合におけるアクションを、第２アクションと称し、第１アクション（例えば、冷媒の蒸発温度を１℃上昇）よりも強力にする（例えば、冷媒の蒸発温度を２℃あるいは３℃上昇）。あるいは、水面上昇時間の関数によって第２のアクションの強さ（例えば、冷媒の蒸発温度の上昇量）を決定してもよい。
【００４６】
なお、本発明は水位センサー８０の設置数量を２台に限定するものではなく、室内機３００（実施の形態３）における満水センサー８３を設置して合計３台にしてもよい。このとき、満水であるか否かの判断を、水面上昇時間Ｔｍが所定の満水判断時間Ｔ２以上であること（Ｔ２≦Ｔｍ）に替えて、満水センサー８３がＯＮであることに読み替えることになる。
【００４７】
［実施の形態５］
（空気調和機の室内機）
図１１および図１２は本発明の実施の形態５に係る空気調和機の室内機を説明するものであって、図１１は調和機の部分を拡大して示す側面視の部分断面図、図１２は室内機の制御フローを示すフローチャートである。なお、各図は模式的に描いたものであって、本発明は図示された形態（構成部材の縦横比や厚さ等）に限定するものではない。また、実施の形態１と同じ部分または相当する部分には同じ符号を付し、一部の説明を省略する。
【００４８】
図１１において、空気調和機の室内機（以下、「室内機」と略称する場合がある）５００は、実施の形態４に示す室内機４００における下水位センサー８１および上水位センサー８３に替えて、水位変化センサー９０を着露水ピット４０のピット壁４０ｃに設置すると共に、満水位センサー８２をピット壁４０ｃの上縁の近くに設置したものである。
すなわち、水位変化センサー９０は着露水の水面の変化速度（上昇速度、下降速度あるいは水面高さが変化しないこと）を検知することができるものであるから、１台のセンサーで、室内機４００と同様の作用効果が得られるものである。
【００４９】
（制御フロー）
図１２において、室内機５００の制御手段は、冷房運転が開始（ＯＮ）されると（Ｓ１）、冷房運転されていることを確認して（Ｓ２）、水位変化センサー９０の検知結果を参照する（Ｓ３の２）。
そして、水位変化センサー９０が着露水の水面高さの変化（以下、「水面上昇速度」と称す）Ｖｍを検知していないで、まだ、アクションを実行していない場合（Ｓ６において、アクション継続時間Ｈｍが所定の判断時間Ｈ２未満、Ｈｍ＜Ｈ２）は、着露水の発生が無いまたは発生の極初期であると判断し（Ｓ４）、着露水の発生を防止するアクションを実行しないで（Ｓ５）、ステップ２に戻り、連続的に繰り返す。
また、水位変化センサー９０が着露水の水面上昇速度Ｖｍを検知していない（Ｖｍ＝０）で、アクション継続時間Ｈｍが所定の判断時間Ｈ２を経過した場合（Ｓ６において、Ｈ２≦Ｈｍ）は、着露水ピット４０が満水になっている状態であるから（Ｓ９）、前記第２のアクションが奏功していないと判断して冷房運転を停止（ＯＦＦ）する（Ｓ１０）。
【００５０】
一方、水位変化センサー９０が着露水の水面上昇を検知した場合（０＜Ｖｍ）、着露水が発生した初期であると判断し（Ｓ７）、アクションを実行（Ｓ８）し、ステップ２に戻る。このとき、水面上昇速度Ｖｍの大きさに応じて、アクションの強さを変更してもよい。例えば、水面上昇速度Ｖｍが所定の上昇速度Ｖ１よりも小さい場合は、着露水の単位時間当たりの発生量が比較的少ないとして、蒸発温度の上昇量を小さくし（例えば、１℃）、一方、水面上昇速度Ｖｍが所定の上昇速度Ｖ１よりも大きい場合は、着露水の単位時間当たりの発生量が比較的多いとして、蒸発温度の上昇量を大きく（例えば、３℃）する。あるいは、水面上昇速度Ｖｍの関数によって蒸発温度の上昇量を定めてもよい。
【００５１】
さらに、水位変化センサー９０が着露水の水面下降を検知した場合（Ｖｍ＜０）、着露水の発生終了または発生量が微量になったと判断し（Ｓ４）、アクションを停止（Ｓ５）し、ステップ２に戻る。
なお、以上は、着露水ピット４０が満水になっている状態を、アクションを実行してからのアクション継続時間Ｈｍによって判断しているが、これに替えて、ピット壁４０ｃの上縁近くに満水位センサー８２（実施の形態３参照）を追設して、これによって満水の有無を検知してもよい。
【００５２】
［実施の形態６］
（空気調和機の室内機）
図１３は本発明の実施の形態６に係る空気調和機の室内機を説明するものであって、調和機の部分を拡大して示す側面視の部分断面図である。なお、図１３は模式的に描いたものであって、本発明は図示された形態（構成部材の縦横比や厚さ等）に限定するものではない。また、実施の形態１と同じ部分または相当する部分には同じ符号を付し、一部の説明を省略する。
図１３において、空気調和機の室内機（以下、「室内機」と略称する場合がある）６００は、着露水ピット４０のピット壁４０ｃに静電容量センサー７０を設置したものである。
【００５３】
（静電容量センサー）
静電容量センサー７０は、図示しない一対の導電体を対向させ、その間の静電容量を検知するものであって、導電体の着露水に水没した長さに応じた、静電容量を出力する。すなわち、着露水の水位を測定する水位センサーとしても機能し、また、着露水の水位の単位時間当たりの変化量を測定する水位変化センサーとしても機能する。
したがって、室内機６００は、静電容量センサー７０からの出力を適宜選択することによって、室内機２００（実施の形態２）〜室内機５００（実施の形態５）の何れの制御を実行することができるし、これらを適宜組み合わせた制御を実行することができる。
また、静電容量センサー７０は１台で、複数台の水位センサー８０の機能を発揮すると共に、小型で安価であるから、着露水ピット４０への設置が容易であって、製造コストの上昇を抑えることができる。
【００５４】
［実施の形態７］
（空気調和機の室内機）
図１４および図１５は本発明の実施の形態７に係る空気調和機の室内機を説明するものであって、図１４は調和機の部分を拡大して示す側面視の部分断面図、図１５は室内機の制御フローを示すフローチャートである。なお、各図は模式的に描いたものであって、本発明は図示された形態（構成部材の縦横比や厚さ等）に限定するものではない。また、実施の形態１と同じ部分または相当する部分には同じ符号を付し、一部の説明を省略する。
【００５５】
図１４において、空気調和機の室内機（以下、「室内機」と略称する場合がある）７００は、室内機４００（実施の形態４）において、下水位センサー８１と満水位センサー８２との間に、水抜孔（溜まり防止手段に相当する、以下、「壁水抜孔４４」と称す）を形成したものである。
室内機２００〜室内機７００では、調和空気はエアーフィルタ２を通過して塵埃等が除去されるから、水抜孔（以下、「底水抜孔」と称す）２４が詰まることが防止されている。しかしながら、何らかの理由によって底水抜孔２４が詰まった場合、着露水パン２２または着露水ピット４０が満水状態と判断され、冷房運転が停止されるおそれが皆無とはいえない。
そこで、室内機７００では、水位センサー（以下、「下水位センサー」と称す）８１と水位センサー（以下、「上水位センサー」と称す）８２との間に壁水抜孔４４を形成して、仮に、底水抜孔２４が閉塞した場合でも、冷房運転を停止することなく、着露水の発生を防止するアクションの実行を可能にしたものである。
【００５６】
（制御フロー）
図１５において、室内機７００の制御手段は、冷房運転が開始（ＯＮ）されると（Ｓ１）、冷房運転されていることを確認して（Ｓ２）、下水位センサー８１の検知結果を参照する（Ｓ３）。そして、下水位センサー８１が着露水を検知していない（ＯＦＦ）場合は、着露水の発生が無いと判断し（Ｓ４）、着露水の発生を防止するアクションを実行しないで（Ｓ５）、ステップ２に戻る。このとき、連続的に戻っても、一定時間毎に戻ってもよい。
一方、下水位センサー８１が着露水を検知（ＯＮ）した場合は、上水位センサー８３が着露水の検知結果を参照する（Ｓ６の３）と共に、下水位センサー８１がＯＮしてからの経過時間（以下、「センサー経過時間Ｓｍ」と称す）を参照する（Ｓ６の５）。
【００５７】
そして、上水位センサー８３が着露水を検知しない（ＯＦＦ）で、且つ、センサー経過時間Ｓｍが所定のセンサー判断時間Ｓ１よりも短い場合は（Ｓｍ＜Ｓ１）、詰まりがなく、着露水の発生初期と判断し（Ｓ７）、アクションを実行し（実行開始または実行継続、Ｓ８）、ステップ２に戻る。
また、上水位センサー８３が着露水を検知しない（ＯＦＦ）で、且つ、センサー経過時間Ｓｍが所定のセンサー判断時間Ｓ１以上の場合は（Ｓ６の５において、Ｓ１≦Ｓｍ）、着露水の発生が無いにも関わらず、底水抜孔２４が詰まっていると判断し（Ｓ７の５）、アクションを停止（Ｓ５）し、ステップ２に戻る。
【００５８】
さらに、上水位センサー８３が着露水を検知し（ＯＮ）、且つ、センサー−経過時間Ｓｍが所定のセンサー判断時間Ｓ１よりも短い場合は（Ｓ６の４において、Ｓｍ＜Ｓ１）、底水抜孔２４が詰まっているものの、着露水の発生初期と判断し（Ｓ７の６）、アクションを実行し（Ｓ８）、ステップ２に戻る。
また、上水位センサー８３が着露水を検知し（ＯＮ）、且つ、センサー経過時間Ｓｍが所定のセンサー判断時間Ｓ１以上の場合は（Ｓ６の４において、Ｓ１≦Ｓｍ）、底水抜孔２４が詰まって、着露水ピット４０が満水状態であると判断し（Ｓ９）、冷房運転を停止（ＯＦＦ）する（Ｓ１０）。
なお、底水抜孔２４および壁水抜孔４４の両方が詰まっている状態では、冷房運転を継続することができなくなるため、上水位センサー８３が着露水を検知（ＯＮ）してからの継続時間を測定して、該継続時間が所定の判断時間を超えた場合には、「底水抜孔２４および壁水抜孔４４の両方が詰まっている」ことを、報知するようにしてもよい。
【００５９】
よって、室内機７００は、底水抜孔２４が詰まった場合でも、着露水の発生を防止するアクションを実行することが可能になる。
なお、室内機７００における水位センサー８０の配置は図示するものに限定するものではない。例えば、壁水抜孔４４よりも下の範囲または上の範囲の一方または両方に、１または２以上の水位センサー８０あるいは水位変化センサー９０若しくは静電容量センサー７０を設置してもよい。さらに、壁水抜孔４４を２台以上にして、その間に、１または２以上の水位センサー８０等を設置してもよい。
【００６０】
［実施の形態８］
（空気調和機の室内機）
図１６は本発明の実施の形態８に係る空気調和機の室内機を説明する、調和機の正面視の断面を示す全体断面図である。なお、各図は模式的に描いたものであって、本発明は図示された形態（構成部材の縦横比や厚さ等）に限定するものではない。また、実施の形態１と同じ部分または相当する部分には符号の下二桁目を同じ数字にして、一部の説明を省略する場合がある。
【００６１】
（室内機本体）
図１６において、空気調和機の室内機（以下、「室内機」と略称する場合がある）８００は、室内の天井１０００に設置されるものであって、本体天板８１６と、４枚の本体側板８１７とから形成された矩形状の函体であって、下面略中央に吸込口８１１が、４つの本体側板８１７に沿った４箇所にそれぞれ吹出口８１５が、それぞれ配置されている。また、吸込口８１１の直上（室内機本体８１０の略中央）に送風機（軸流ファンに同じ）８０４が設置されている。
【００６２】
そして、吸込口８１１から送風機８０４に至る（上流側に同じ）、吸い込まれた室内空気が流れる吸込風路８０１と、送風機８０４から吹出口８１５に至る（下流側に同じ）、吹き出された調和空気が流れる吹出風路８０５と、が形成されている。吸込風路８０１には、吸い込まれた室内空気が通過し、含まれた塵埃が除去される空気清浄フィルター８０２が設置されている。
一方、吹出風路８０５には、空気清浄フィルター２を通過した室内空気を冷却または加熱する熱交換器８０３とが配置されている。なお、熱交換器８０３を通過した室内空気を「調和空気」と称している。
【００６３】
このとき、送風機８０４は下方から上方に向かって室内空気を吸い込み、略水平方向の周囲（略放射方向）に吹き出すため、熱交換器８０３は平面視において略矩形状に配置され、送風機８０４を囲んでいる（また、室内機本体８１０の４つの本体側板８１７に沿って配置されている）。
さらに、熱交換器８０３に付着した水分（着露水等）が滴下した際、それを受け止める主ドレンパン８０６が、熱交換器８０３の下方に配置されている。すなわち、主ドレンパン８０６も平面視で略矩形状に形成されている。なお、熱交換器（室内熱交換器に相当する）８０３は、図示しない室外機に設置された、冷媒の圧縮機、室外熱交換器および冷媒膨張手段と共に冷凍サイクルを構成するものであって、冷媒の流れを変更することによって、凝縮器（温熱を放出する）や蒸発器（冷熱を放出する）として、機能するものである。
【００６４】
（吹出風路）
吹出風路８０５は、正面視で略Γ（ガンマ）字状であって、本体天板８１６の近傍でこれと平行に配置された本体上吹出壁（風路壁に同じ）８１２ａと、本体上吹出壁８１２ａに連続して、本体側板８１７と平行で本体天板８１６に近い範囲に配置された本体中吹出壁（風路壁に同じ）８１２ｂと、本体中吹出壁８１２ｂに連続して、本体側板８１７と平行で吹出口８１５に近い範囲に配置された本体下吹出壁（風路壁に同じ）８１２ｃと、主ドレンパン８０６を形成する略水平側のパン上吹出壁（風路壁に同じ）８１３ａと、主ドレンパン８０６を形成する略鉛直側のパン下吹出壁（風路壁に同じ）８１３ｃと、から形成されている。
【００６５】
なお、以下、便宜上、吹出風路８０５は、送風機８０４の出側と熱交換器８０３との間で調和空気が略水平方向に流れる水平流れ部８０５ａと、熱交換器８０３を通過した後、下方に流れ方向が変えられる方向変更部８０５ｂと、その後、吹出口１５に向かって略鉛直下方に流れる鉛直流れ部８０５ｃと、に概ね分けて説明しているが、それぞれの境界は必ずしも明りょうでない。
そして、水平流れ部５ａは本体上吹出壁８１２ａとパン上吹出壁８１３ａとによって形成されている。また、方向変換部８０５ｂは本体中吹出壁８１２ｂと熱交換器８０３とによって形成され、鉛直流れ部８０５ｃは本体中吹出壁８１２ｃとパン下吹出壁８１３ｃとによって形成されている。
【００６６】
（着霜水排出部）
図１６において、方向変換部８０５ｂの調和空気が触れない面（反風路側の面に同じ）に、着霜水排出部２０が形成されている。
着霜水排出部２０は、本体中吹出壁８１２ｂに形成された、着露水が通過自在なスリット状開口部２１と、スリット状開口部２１の下方で本体中吹出壁８１２ｂの反風路側の面に設置され、スリット状開口部２１を通過して本体中吹出壁８１２ｂの反風路側に浸入した着露水を受け止める着露水パン２２と、を有している（図４および図５参照）。
【００６７】
また、本体中吹出壁８１２ｂの反風路側の面には、本体中吹出壁８１２ｂの反風路側の面に付着した水分を受け止める副ドレンパン８０７が設けられ、副ドレンパン８０７に貯まった水は、図示しない排水路によって、主ドレンパン８０６に導かれる。
そして、着露水パン２２に流入した着露水がパン端板２２ｃの上縁からオーバーフローすると、かかる着露水は副ドレンパン８０７に流れ込み、排水路（図示しない）を経由して主ドレンパン８０６に導かれる。さらに、主ドレンパン８０６に貯蔵された水分（着露水を含まない場合もある）は、図示しない排出手段によって図示しない室外機等に導かれる。
【００６８】
なお、本発明は、着露水パン２２の形態を図示するものに限定するものではなく、例えば、パン端板２２ｃを撤去して、パン底板２２ａの端部から着露水が流出するようにしてもよいし、着露水パン２２自体を撤去して、着露水が副ドレンパン７に直接流入するようにしてもよい（このとき、着露水パン２２には着露水が貯蔵されない（溜まらない）ことになる）。あるいは、着露水パン２２に貯蔵された着露水を副ドレンパン７を経由しないで、主ドレンパン６に直接導いてもよい。
【００６９】
そして、着露水パン２２には水位センサー８０が設置され、室内機２００（実施の形態２）と同様に、着露水の発生を防止するアクションが実行されるものであるが、水位センサー８０に替えて、水位変位センサー９０または静電容量センサー７０を、１台または２台以上設置してもよい。また、室内機７００（実施の形態７）に準じて、着露水パン２２に１または２以上の壁水抜孔４４を設けてもよい。
【００７０】
［実施の形態９］
（空気調和機の室内機）
図１７は本発明の実施の形態９に係る空気調和機の室内機を説明する、調和機の正面視の断面を示す全体断面図である。なお、各図は模式的に描いたものであって、本発明は図示された形態（構成部材の縦横比や厚さ等）に限定するものではない。また、実施の形態１と同じ部分または相当する部分には符号の下二桁目を同じ数字にして、一部の説明を省略する場合がある。
【００７１】
（室内機本体）
図１７において、空気調和機の室内機（以下、「室内機」と略称する場合がある）９００は、室内の壁面（図示しない）に設置されるものであって、上面に吸込口９１１が、下面に吹出口９１５が、形成された室内機本体９１０と、室内機本体９１０内に設置された送風機（貫流ファンに同じ）９０４と、室内機本体９１０の前面（図中、左側）を覆う化粧パネル９１８と、を有している。
そして、吸込口９１１から送風機９０４に至る（上流側に同じ）、吸い込まれた室内空気が流れる吸込風路９０１と、送風機９０４から吹出口９１５に至る（下流側に同じ）、吹き出された調和空気が流れる吹出風路９０５と、が形成されている。吸込風路９０１には、吸い込まれた室内空気が通過し、含まれた塵埃が除去される空気清浄フィルター９０２と、空気清浄フィルター９０２を通過した室内空気を冷却または加熱する熱交換器９０３とが配置されている。なお、熱交換器９０３を通過した室内空気を「調和空気」と称している。
【００７２】
このとき、送風機９０４は上方および前方から室内空気を吸い込むため、熱交換器８０３は正面視において、略Λ（ラムダ）字状に配置されている。
さらに、熱交換器９０３に付着した水分（着露水等）が滴下した際、それを受け止める主ドレンパン９０６ａ、９０６ｂが、熱交換器９０３の下方に配置されている。なお、熱交換器（室内熱交換器に相当する）９０３は、図示しない室外機に設置された、冷媒の圧縮機、室外熱交換器および冷媒膨張手段と共に冷凍サイクルを構成するものであって、冷媒の流れを変更することによって、凝縮器（温熱を放出する）や蒸発器（冷熱を放出する）として、機能するものである。
【００７３】
（吹出風路）
吹出風路９０５は、正面視で略円弧状であって、室内機本体９１０の一部を形成する後吹出壁（風路壁に同じ）９１２と、主ドレンパン９０６ａの後面ないし下面である前吹出壁（風路壁に同じ）９１３と、から形成されている。
そして、後吹出壁９１２の上下方向の略中間で僅かに吹出口９１５に近い位置で、調和空気が触れない面（反風路側の面に同じ）に、着霜水排出部２０が形成されている。
着霜水排出部２０は、後吹出壁９１２に形成された、着露水が通過自在なスリット状開口部２１と、スリット状開口部２１の下方で後吹出壁９１２の反風路側の面に設置され、スリット状開口部２１を通過して後吹出壁９１２の反風路側に浸入した着露水を受け止める着露水パン２２と、を有している（図４および図１１参照）。
【００７４】
そして、着露水パン２２に流入した着露水（図示しない排水孔を経由したもの、およびオーバーフローしたもの）は、図示しない排水路およびポンプ手段によって主ドレンパン９０６ａに導かれる。さらに、主ドレンパン９０６ａに貯蔵された水分（着露水を含まない場合もある）は、図示しない排出手段によって図示しない室外機等に導かれる。
【００７５】
そして、着露水パン２２には水位センサー８０が設置され、室内機２００（実施の形態２）と同様に、着露水の発生を防止するアクションが実行されるものであるが、水位センサー８０に替えて、水位変位センサー９０または静電容量センサー７０を、１台または２台以上設置してもよい。また、室内機７００（実施の形態７）に準じて、着露水パン２２に１または２以上の壁水抜孔４４を設けてもよい。
【産業上の利用可能性】
【００７６】
本発明によれば、風路内の広い範囲の何れかの位置で着露水が生じても、露垂れを防止することができ、また、着露水の発生を早期に検知して着露水の発生を防止するアクションを実行することを可能にするから、各種型式の空気調和機の室内機として広く利用することができる。
【符号の説明】
【００７７】
１：吸込風路、２：空気清浄フィルター、３：熱交換器、４：送風機、５：吹出風路、５ａ：水平流れ部、５ｂ：円弧流れ部、５ｃ：鉛直流れ部、６：主ドレンパン、７：副ドレンパン、８：副ドレンパン、１０：室内機本体、１１：吸込口、１２：大径吹出壁、１２ａ：大径水平壁部分、１２ｂ：大径円弧壁部分、１２ｃ：大径鉛直壁部分、１２ｄ：大径円弧壁延長部分、１２ｅ：延長部下端、１３：小径吹出壁、１３ｂ：小径円弧壁部分、１３ｃ：小径鉛直壁部分、１４：端部吹出壁、１５：吹出口、１６：排水路、２０：着霜水排出部、２１：スリット状開口部、２２：着露水パン、２２ａ：パン底板、２２ｂ：パン側板、２２ｃ：パン端板、２３：透湿浸透膜、２４：水抜孔（底水抜孔）、２５：隙間、２６：突条、３０：着霜水排出部、３１：スリット状開口部、３２：着露水パン、３２ａ：パン底板、３２ｂ：パン側板、３２ｃ：パン端板、４０：着霜水ピット、４０ａ：ピット底、４０ｃ：ピット壁、４４：壁水抜孔、７０：静電容量センサー、８０：水位センサー、８０ａ：導電体、８０ｂ：導電体、８１：下水位センサー、８２：満水位センサー、８３：上水位センサー、９０：水位変位センサー、１００：室内機（実施の形態１）、２００：室内機（実施の形態２）、３００：室内機（実施の形態３）、４００：室内機（実施の形態４）、５００：室内機（実施の形態５）、６００：室内機（実施の形態６）、７００：室内機（実施の形態７）、８００：室内機（実施の形態８）、８０１：吸込風路、８０２：空気清浄フィルター、８０３：熱交換器、８０４：送風機、８０５：吹出風路、８０５ａ：水平流れ部、８０５ｂ：方向変換部、８０５ｃ：鉛直流れ部、８０６：主ドレンパン、８０７：副ドレンパン、８１０：室内機本体、８１１：吸込口、８１２ａ：本体上吹出壁、８１２ｂ：本体中吹出壁、８１２ｃ：本体中吹出壁、８１３ａ：パン上吹出壁、８１３ｃ：パン下吹出壁、８１５：吹出口、８１６：本体天板、８１７：本体側板、９００：室内機（実施の形態９）、９０１：吸込風路、９０２：空気清浄フィルター、９０３：熱交換器、９０４：送風機、９０５：吹出風路、９０６ａ：主ドレンパン、９１０：室内機本体、９１１：吸込口、９１２：後吹出壁、９１３：前吹出壁、９１５：吹出口、９１８：化粧パネル、１０００：天井、Ｄｍ：センサー経過時間、Ｈ１：所定時間、Ｈ２：判断時間、Ｈｍ：アクション継続時間、Ｓ１：判断時間、Ｓｍ：センサー経過時間、Ｔ１：流量判断時間、Ｔ２：満水判断時間、Ｔｍ：水面上昇時間、Ｖ１：所定の上昇速度、Ｖｍ：水面上昇速。
【図１】
0005558121.tif 000002
【図２】
0005558121.tif 000003
【図３】
0005558121.tif 000004
【図４】
0005558121.tif 000005
【図５】
0005558121.tif 000006
【図６】
0005558121.tif 000007
【図７】
0005558121.tif 000008
【図８】
0005558121.tif 000009
【図９】
0005558121.tif 000010
【図１０】
0005558121.tif 000011
【図１１】
0005558121.tif 000012
【図１２】
0005558121.tif 000013
【図１３】
0005558121.tif 000014
【図１４】
0005558121.tif 000015
【図１５】
0005558121.tif 000016
【図１６】
0005558121.tif 000017
【図１７】
0005558121.tif 000018